(57)【要約】      （修正有）【課題】普段の日常生活において、自然災害に備えた万全の準備をすることができると共に、不幸にも自然災害に遭遇した時に、迅速に対応することができる回転盤を提供する。【解決手段】固定版１０の表面１３を等分した区画１４に、項目別の見出し１５と概要１６との形式で地震等の自然災害に備えて平常時に準備すべき事項及び発生時に対応すべき事項を表示し、固定版１０の裏面に市町村単位のハザードマップを表示した。更に、固定版１０の本体部１１の外周側に一体成形した凸部１２を形成し、団扇としても使用できるようにした。【選択図】図１
0003171256.tif 000002
【実用新案登録請求の範囲】
【請求項１】
表面を複数の区画に等分し、前記区画毎に項目別の見出しと概要が表示されている固定版と、前記区画に対応した大きさの欠切部が形成されている移動版とが中心部で回転自在に一体的に保持され、前記移動版を回転させ前記欠切部を前記区画に合わせ項目別の見出しと概要を見る回転盤において、
前記区画毎に表示されている項目別の見出しと概要の内容は、地震等の自然災害に備えて平常時に準備すべき事項及び発生時に対応すべき事項であり、前記固定版の裏面に災害時のハザードマップが表示されていることを特徴とする回転盤。
【請求項２】
前記固定版及び／または前記移動版に広告を表示し、前記広告の依頼者の所在地を前記ハザードマップの中心に据えたことを特徴とする請求項１に記載の回転盤。
【請求項３】
前記固定版の外周側に凸部が一体成形されていることを特徴とする請求項1または２に記載の回転盤。
【考案の詳細な説明】
【技術分野】
【０００１】
本考案は、地震等の自然災害に備えて平常時に準備すべき事項及び発生時に対応すべき事項を直ちに見ることができる回転盤に関する。
【背景技術】
【０００２】
地震等の自然災害に備えて平常時に準備すべき事項及び発生時に対応すべき事項を全て記憶していれば、万全の準備を整えることができると共に不幸にも地震等の自然災害が発生した時には迅速に対応することができるが、それらの事項は多岐に亘るので、全てを記憶しておくことは困難である。そのため、種々の機関より地震等の自然災害に備えて平常時に準備すべき事項及び発生時に対応すべき事項をまとめた文書が、パンフレット等の書式にて配布等されている。
【０００３】
従って、配布等されてきたパンフレット等を保管し、必要なときに取り出し確認できるようにすれば良いのであるが、それらのパンフレット等は別々に配布等されて来るので保管することを忘れてしまい、いざ必要なときに見ることができない場合がしばしば起きる。また、例え全てを保管したとしてもパンフレット等が複数あるので保管場所を忘れ必要なパンフレット等を見つけ出すまでに時間を要するか、或いは保管したパンフレット等の一部が散逸してしまっていて見つけることができない場合が多い。
【０００４】
そのため、普段の日常生活において、地震等の自然災害に備えて準備すべき事項を確認しようとしたときに必要なパンフレット等が見ることが出来ず、準備が不十分になってしまうという不具合が考えられる。また不幸にも地震等の自然災害に遭遇した時に、対応すべき事項が記載されたパンフレット等を直ぐに取り出すことができないので、迅速に対応ができないという不具合も予想される。
【考案の概要】
【考案が解決しようとする課題】
【０００５】
本考案は、かかる上述の問題点を解決するためになされたものであって、その目的とするところは、地震等の自然災害に備えて平常時に準備すべき事項及び発生時に対応すべき事項を一目で見ることができ、普段の日常生活において地震等の自然災害に備えた万全の準備をすることができると共に、不幸にも地震等の自然災害が発生した時に、迅速に対応することができる回転盤を提供することである。
【０００６】
また、別の目的は、回転盤を配布する時に、回転盤の表面及び／または裏面に表示されている広告の依頼者の所在地が、地図上で容易に分かるようにするし、広告の効果を上げることができるようにすることである。
【０００７】
また、別の目的は、配布される回転盤を団扇として使用できるようにし、回転盤を一般の人が受け取り易くすることである。
【課題を解決するための手段】
【０００８】
上記目的を達成するため、本考案の請求項１に係る回転盤は、表面を複数の区画に等分し、前記区画毎に項目別の見出しと概要が表示されている固定版と、前記区画に対応した大きさの欠切部が形成されている移動版とが中心部で回転自在に一体的に保持され、前記移動版を回転させ前記欠切部を前記区画に合わせ項目別の見出しと概要を見る回転盤において、前記区画毎に表示されている項目別の見出しと概要の内容は、地震等の自然災害に備えて平常時に準備すべき事項及び発生時に対応すべき事項であり、前記固定版の裏面に災害時のハザードマップが表示されていることを特徴とするものである。
【０００９】
また、本考案の請求項２に係る回転盤は、請求項１に記載の回転盤であって、前記固定版及び／または前記移動版に広告を表示し、前記広告の依頼者の所在地を前記ハザードマップの中心に据えたことを特徴とするものである。
【００１０】
また、本考案の請求項３に係る回転盤は、請求項１または２に記載の回転盤であって、前記固定版の外周側に凸部が一体成形されていることを特徴とするものである。
【考案の効果】
【００１１】
本考案は、以下の効果を奏する。
【００１２】
すなわち、上記構成を備えた本考案に係る回転盤は、固定版の表面が等分された区画に、地震等の自然災害に備えて平常時に準備すべき事項及び発生時に対応すべき事項が項目別に見出しと概要の形式にて表示されているので、普段の日常生活において、地震等の自然災害に備えて準備するときに、回転盤だけを見ることで準備事項の忘れを無くし万全の準備体制を整えることができると共に、不幸にも地震等の自然災害に遭遇したときにおいては、回転盤だけを見ることで対処方法を確認することができ、迅速に避難等することができる。
【００１３】
また、固定版の裏面には広域避難場所等が含まれている災害発生時のハザードマップが表示されているので、避難する場合にも回転盤のハザードマップを見るだけで迅速に広域避難場所に避難することができる。
【００１４】
また、回転盤に広告が掲載されている場合で、広告の依頼者の所在地をハザードマップの中心に据えると、広告の依頼者の所在地をハザードマップ上で容易に見つけ出すことができ、広告の効果を上げることができる。
【００１５】
更に、固定版の外周側に凸部が一体成形されていると、回転盤を団扇として用いることができ、回転盤を宣伝品として配布するときの効果を上げることができる。
【図面の簡単な説明】
【００１６】
【図１】本考案に係る回転盤の平面説明図
【図２】図１の回転盤の底面説明図
【図３】本考案に係る別の実施形態の回転盤の底面説明図
【考案を実施するための形態】
【００１７】
以下に図面を参照して、この考案の実施形態を例示して説明する。
【００１８】
図１は、本考案に係る回転盤の一実施形態を示す平面説明図であり、図２は、図１の回転盤を裏から見た底面説明図であり、図３は、別の実施形態の回転盤を裏から見た底面説明図である。
【００１９】
図１に示すとおり、本考案に係る回転盤１は、円形状の本体部１１とその本体部１１の外周側に細長く延びる凸部１２とが一体成形された固定版１０と、円形状の移動版３０とを備え、固定版１０の本体部１１の上に移動版３０を重ね、固定版１０の本体部１１の中心と移動版３０の中心とがピン５０により回転自在に一体的に保持されている。
【００２０】
固定版１０の本体部１１の表面１３は、８等分に区分された区画１４で形成されている。区画１４毎に、項目別の見出し１５が外周側に表示され、見出し１５に対応した概要１６が内周側に表示されている。
【００２１】
区画１４毎に表示されている見出し１５と概要１６の内容は、地震等の自然災害に備えて平常時に準備すべき事項及び発生時に対応すべき事項であり、例えば、次のように表示されている。
Ａ区画
見出し：ぐらっときたら、まず
概要：＜自らの身の安全を確保する。＞・次に火の始末。・電気ブレーカー，ガス元栓を止める。・ドアを開けて避難路の確保。・隣同士で声を掛け合い安否の確認。
＜公助が来るまで３日間は自ら生き抜く為に水、食料を準備する。＞
Ｂ区画
見出し：家具の配置・固定は？
概要：＜家具が凶器になる＞・タンス，テレビ，食器棚，本棚，パソコン等をしっかり固定し、棚からの飛び出しを防止する。・寝室の寝床の周囲に高い家具は置かない。・窓ガラスの飛散を防ぐには飛散防止フィルムを貼り、家具転倒防止には接着マット，Ｌ字金具，突っ張り棒を準備する。
Ｃ区画
見出し：広域避難場所・避難所は？
概要：＜広域避難場所とは＞火災延焼やその他危険から生命を守るため必要な面積がある場所を言い、大規模な公園，緑地帯をさす。
＜避難所とは＞家を失った人や倒壊の危険性のある人々が避難する場所で学校や公共施設をいう。
Ｄ区画
見出し：家庭内での備蓄品は？
概要：＜非常食品＞飲料水（１人１日３リットル），乾パン，缶詰，梅干，レトルトご飯，インスタント食品等
＜燃料＞卓上コンロ，固形燃料，ガスボンベ
＜生活用品＞毛布，洗面用具，トイレットペーパー，ガムテープ，やかん，タオル，箸，生活用水
Ｅ区画
見出し：非常持ち出し品の準備は？
概要：＜貴重品＞現金，キャシュカード，通帳，印鑑，免許証，権利書，健康保険証等のコピー
＜生活用品＞ヘルメット，包帯，携帯ラジオ，衣類，懐中電灯，メガネ，入れ歯，軍手，マスク，雨具，紙コップ，缶きり，ラップ，紙皿，割り箸，缶詰，ビニール袋，時計等
Ｆ区画
見出し：災害時の役割分担は？
概要：＜家族の役割分担＞・高齢者の救護は誰が・・・子供は誰が迎えに行くのか・・・集合場所は決まっているか・・・災害シュミレーションは・・・
＜万が一に備え、常に家族で話し合う機会をつくり、会議目録をチェックしましょう。＞
Ｇ区画
見出し：救急医薬品の使用方法と置き場所
概要：＜救急避難用セット＞滅菌ガーゼ，包帯，消毒液，絆創膏，マスク，はさみ，ピンセット，綿棒，刺抜き，飴，アルミシート，笛，ゴム手袋，簡易トイレ，ポリ袋
＜薬＞降圧剤等の常備薬を予備として備えて置く。
Ｈ区画
見出し：火災対策もしっかりと。
概要：＜消火用品＞簡易消火器，消火器等の初期消火の重要性を認識し、爆発的延焼を起こさないように努める。
＜火災警報器設置＞住宅火災の逃げ遅れの死者は半数が高齢者であることから設置が義務化された。
【００２２】
回転盤１の裏面となる固定版１０の本体部１１の裏面２１には、図２に示す通り、地震発生時の広域避難場所２３が記載されている市町村単位のハザードマップ２２Ａが表示されている。
【００２３】
更に、回転盤１を宣伝用品として用いる場合には、固定版１０の凸部１２の表面に広告３５が表示できるようになっている。更に、後述する移動版３０の表面３２の下側にも広告３５が表示できるようになっている。
【００２４】
移動版３０には、固定版１０の区画１４に対応した大きさの欠切部３１が形成されていて、移動版３０を回転させ欠切部３１を区画１４に合わせることで、区画１４の見出し１５と概要１６を表示できるようになっている。
【００２５】
移動版３０の表面３２には、災害用伝言ダイアル３３の使用方法及び警察署等の防災関係機関の連絡先３４等の事項が表示されている。
【００２６】
尚、図３に示す通り、広告３５は、固定版１０の裏面２１に表示されているハザードマップ２２の周囲に表示することができるようになっている。
【００２７】
尚、広告３５を表示したときには、固定版１０の裏面２１に表示されているハザードマップ２２は、広告３５の依頼者の所在地を中心に据えたハザードマップ２２Ｂを表示することもできる。
【００２８】
以上の通り、本実施形態の回転盤１は、地震等の自然災害に備えて平常時に準備すべき事項及び発生時に対応すべき事項が、項目ごとに分けて固定版１０の区画１４に見出し１５と概要１６とで表示されているので、見たい項目について見出し１５を手掛かりに移動版３０の欠切部３１を固定版１０の区画１４に合わることで見出し１５に対応した概要１６を見ることができ、地震等の自然災害に備えて平常時に準備すべき事項及び発生時に対応すべき事項の全てを確認することができる。従って、普段の日常生活において、地震等の自然災害に備えて準備するときに、回転盤１だけを見ることで準備忘れを防止し万全の準備体制を整えることができ、また不幸にも地震等の自然災害が発生した場合においても、回転盤１だけを見ることで対処方法を一目で確認することができ、迅速に避難等することが可能となる。
【００２９】
特に、回転盤１の裏面２１には広域避難場所が記載されているハザードマップ２２が表示されているので、避難する場合にハザードマップ２２に基づき迅速に広域避難場所に避難することが可能となる。
【００３０】
なお、広告３５が固定版１０または／および移動版３０に表示されている場合で、広告３５の依頼者の所在地がハザードマップ２２の中心に据えられている場合には、広告３５の依頼者の所在地をハザードマップ２２上で容易に見つけ出すことができ、広告の効果を上げることが可能となる。
【００３１】
更に、固定版１０の外周側に凸部１２が一体成形されていると、回転盤１を団扇として用いることができるので、回転盤１を宣伝品として配布するときの効果を上げることが可能となる。
【符号の説明】
【００３２】
１          回転盤
１０        固定版
１１        本体部
１２        凸部
１３        表面
１４        区画
１５        見出し
１６        概要
２１        裏面
２２（２２Ａ，２２Ｂ）        ハザードマップ
３０        移動版
３１        欠切部
３２        表面
３３        災害用伝言ダイアル
３４        防災関係機関の連絡先
３５        広告
５０        ピン
【図１】
0003171256.tif 000003
【図２】
0003171256.tif 000004
【図３】
0003171256.tif 000005